(57)【要約】【課題】  温風化効果に優れると共に、調理天板のスペースの機能を有することを特徴とするオンドル式食卓型暖炉に関するものである。【解決手段】  前面の一部に耐火ガラス面１０を備える暖炉１において、底面開口部５にオンドル式床下暖房坑道８を備えると共に、上面に調理天板１５を配して煙突１４を配すると共に、両側面と背面には遮熱ガラリ部１７を配する。そして、側面に設けた金属製中空支柱３に通じる上端部に上部空気取入れ口４と、下端部にはファン７に至って温風に通じるオンドル式床下暖房坑道８が設けてある。【選択図】      図１
2006105470.tif 000002
【特許請求の範囲】
【請求項１】
オンドル式の暖炉の燃焼室に調理天板の落とし穴部を設けて調理天板を形成してなることを特徴とするオンドル式食卓型暖炉。
【請求項２】
オンドル式の暖炉の燃焼室に調理天板の落とし穴部を設けて調理天板や調理器具を形成してなることを特徴とするオンドル式食卓型暖炉。
【請求項３】
オンドル式暖炉の燃焼室に設けた下方に暖気を送るファンがタイルカーペットとオンドル床板とからなる上板材と、下板材からなる断熱材とが任意数の支持板と支え材とで支持してなることを特徴とするオンドル式食卓型暖炉。
【発明の詳細な説明】
【技術分野】
【０００１】
本発明は、オンドル式食卓型暖炉であり、温風を床下に吹込むようにして暖かなスペース機能を備えると共に、その暖房機能とにより調理と食事とができるようにしたことを特徴とするオンドル式食卓型暖炉に関するものである。
【背景技術】
【０００２】
建物の暖房装置には、各種構造のものが存在している。その例としてオンドル式食卓型暖炉が知られている。例えば、図５の暖炉にあっては、この暖炉５０の燃焼室５１の側面には、少なくとも金属製中空支柱５２が設けてあり、その上部空気取入れ口５３から取入れられた冷気が上記金属製中空支柱５２内の放熱によって暖められた冷風は、送風室５４に導いた暖気は底部開口部５５を経た後、ファン５６を通って床下のオンドル式床下暖房坑道５７へ送風されている。
【０００３】
【特許文献１】特開２０００−１８５８６号公報
【発明の開示】
【発明が解決しようとする課題】
【０００４】
この暖炉５０にあっては、オンドル式床下暖房坑道５７は、蓄熱量（熱容量）を考慮して、伝熱性に富む金属板などで構成している。
【０００５】
しかも、この暖炉５０では、燃焼室５１に沿う上部空気取入れ口５３から取入れられた冷氣は金属製中空支柱５２内における放熱によって順次暖められた後、底部開口部５５から送風室５４に導いて暖気をファン５６によって、その底部開口部５５から床下のオンドル式床下暖房坑道５７へ送風されている。
【０００６】
そして、この暖炉５０には、燃焼室５１に燃料投入用ガラス面５８、吸氣口５９、燃却灰トレイ６０、煙道６１、煙突６２が設けてあり、調理天板６３やテーブル６４が設けてあるし、６５は、任意形状の調理天板６３を設けた落とし穴部である。
【０００７】
しかしながら、オンドル式床下暖房坑道５７にあっては、そのオンドル式床暖房坑道５７は単なる板状体のままの構成であり、独自性などを欠いている。しかも、オンドル式床下暖房坑道５７にはファン５６，５６が設けられているにしても単純なファン５６であれば、特別の効果は期待できないものである。
【０００８】
本発明は、上記した問題点を解決するためになされたものであって、従来の床暖房は衣食住の内、衣生活における暖房だけであった。しかし、住生活にあっても、食生活が大切なことであることが分かり、何れにしても食生活が大切であることが判明した。
そのため、本発明の第一及び第二の発明は、食生活が大切であることが判明したものであり、第三の発明は、その床板としてのタイルカーペットやオンドル床板などからなる上板材と、下板材からなる断熱材とが任意数の支持板及び支え体を介在させて上板材を強固に支持していることを目的としている。
【課題を解決するための手段】
【０００９】
上記目的を達成するために、第一の発明は、オンドル式の暖炉の燃焼室に調理天板の落とし穴部を設けて調理天板を形成してなることを特徴とするものである。
【００１０】
第二の発明は、オンドル式の暖炉の燃焼室に調理天板の落とし穴部を設けて調理天板や調理器具を形成してなることを特徴とするものである。
【００１１】
第三の発明は、オンドル式暖炉の燃焼室に設けた下方に暖気を送るファンがタイルカーペットとオンドル床板とからなる上板材や、下板材からなる断熱材とで任意数の支持板と支え材とで支持してなることを特徴とものである。
【発明の効果】
【００１２】
本発明によれば、次のような効果を有する。
（１）このように食生活と住生活とが一体化され、住生活が活性化されるものである。このため、建築における使用用途が広がり、楽しい室内環境が生まれるものである。
（２）例えば、次のような建築用途には最適である。都会の生活と離れた別荘生活などで自然の摂理をこのシステムで理解しながらリフレツシュすることができる。
（３）スキーロッヂやスケートロッヂのようなスポーツ施設では、冷たくなった体を温めながら、団欒したり食生活が図れる。このため、日中のスポーツや明日に予定している事柄を楽しく語らいながら互いのコミュニケーションが図れるものである。
（４）しかも、郊外型レストランは天井が高いなど新しい客の感覚性が求められる。このため、例えば、レストランの一角にこのシステムを採用することで、レストランに新しい客を呼び寄せ、活躍性を上げることができる。
そして、こうした施設では、調理天板としてその調理天板などを二連以上に増すなどして、客の収納力に対応させることができるものである。
（５）特に、寒冷地の施設では、食生活を食べながら暖房があり。床暖房と暖炉という熱暖房となるものであれば、正に現在の囲炉裏とも云えるものである。
【発明を実施するための最良の形態】
【００１３】
本発明における暖炉１は、その燃焼室２に設けた側面の金属製中空支柱３の上部空気取入れ口４を設け、この取入れた冷氣を上記金属製中空支柱３内における放熱によっ順次暖めた後、その底部開口部５から送風室６に導いて暖気をファン７によって床下のオンドル式床下暖房坑道８へ送風させている。
【００１４】
つまり、オンドル式床下暖房坑道８に送風される暖気は、上記金属製中空支柱３内において順次暖められ、その底部開口部５から送風室６に導いて暖気をファン７によって床下のオンドル式床下暖房坑道８へ送風させているものであるため、従来にない新しい生活形態としての利用法があるものである。
【００１５】
暖房１の燃焼室２としては、材木、木炭、練炭、石炭などの固形燃料を燃焼できるような仕組合わせがよいが、ガスや石炭などの自動燃焼でもよいものである。その形状は角形、円形、長円形など任意な形状でよいものである。この燃焼室２の材質は、耐熱性、蓄熱性、熱放射性を備えたもの、例えば、金属類、セラミックス類などが使用できるが、これらの組み合わせでもよい。具体的には、金属類として鋳物、耐熱特殊鋼、ステンレス鋼などがある。セラミックス類としては、石英、花こう岩、玄武岩、大理石などの天然鉱石や岩石、人造石あるいはガラス、磁気、レンガなどの焼成無機化合物が挙げられる。
【００１６】
金属製中空支柱３の設置位置や形状は、少なくとも一辺が燃焼室２の側面に密着した形状が好ましい。この金属製中空支柱３の燃焼室２の側面の接触面積の割合は１０〜６０％が好ましいが、２０〜４０％が最適である。接触面積が少なすぎると、床下への熱供給が不足し、多すぎると部屋の空気への放熱が不足することになるためである。
【００１７】
上記金属製中空支柱３の材質は、耐熱性で熱伝導の高いものが好ましい。例えば、銅やアルミニウムなどの金属類や花こう岩、大理石、陶磁器などのセラミックス、その他の伝熱性耐熱化合物などがよいが、これらの組み合わせたものでもよい。また、燃焼室２の側面への接触面以外の一部が暖熱性を持つ素材で構成されてもよい。上記金属製中空支柱３の内部は、空洞のままでもよいが、伝熱を放射しやすくするために、ファン形状の構造にするか、金属網、金属綿などを充填するなどとしてもよい。
【００１８】
送風室６では、金属製中空支柱３の内部で加熱された空気を集め、床下のオンドル式床下暖房坑道８に送風するために燃焼室２の真下に設置すればよい。送風室６には、床下のオンドル式床下暖房坑道８に送風するためにファン７が設置されている。このファン７のスイッチは、手動式でよいが、床面などにセンサーを設けて自動的に作動させることもできる。
【００１９】
本発明の暖炉１では、例えば、燃焼室２の前面に耐火ガラス面１０を設け、上記金属製中空支柱３の送風室６の前面送風口１１を設けて熱源の木炭、練炭など燃焼室２に任意な空気を送込めるようにしてあり、燃焼室２の下方に燃却灰トレイ１３を取集めるようにしてある。１４は煙突であり、１５は調理天板、１６はテーブルを示している。１７は遮熱ガラス部である。
【００２０】
上記のように構成された暖炉１に燃料を配し燃焼されると、加熱させた燃料室２及び煙突１４などの熱がそこに接触した空気を暖め対流熱となって室内の温度をあげると共に、金属製中空支柱３内で加熱された空気が床下のオンドル式床下暖房坑道８へ導かれ床面を暖める。暖炉１の燃焼が止まった後も床面へ蓄熱された熱によって部屋を暖め続けられる。
【実施例】
【００２１】
固定燃料を用いる本発明の実施例を図１〜図４を参考にして説明する。構成は図に示すように長方形の暖炉１であり、燃料室２の前面を除いた両側面及び後面の三面に角形の金属製中空支柱３を密着させてある。そして、この金属製中空支柱３の上部は、テーブル１６の支柱となるようにしてあり、上部に空気取入れ口４を下部に送風室６に通じる底部開口部５を設けてある。送風室６の内部にファン７を床下のオンドル式床下暖房坑道８に送風できるようにしてある。  
【００２２】
燃料室２の底部には、スライド式の窓を設けた吸気口１１及び焼却灰トレイ１３を設けてあり、上部には調理天板１５を設け煙突１４から排気でき、遮熱ガラス面１７をはめて炎が見えるようにしてある。
【００２３】
テーブル１６は木製で少なくとも三面をカウンター式としてある。調理天板１５は任意な形状としてあり、例えば、板厚を３ｍｍとしてある。そして、オンドル式床下暖房坑道８として、例えば、上板材２０として任意なタイルカーペット２１とオンドル床板２２とからなる上板材２０があり、下板材２３として断熱材２４とが支持板２５と支え材２６，２６，…とで堅固に支えている。
【００２４】
オンドル式床下暖房坑道８の隅部には、少なくとも四個の切込み口１８（他に三カ所は省略）が設け、この吹出し口１８により一部屋の空気を暖めることができる。
また、このオンドルを構成する床板が、例えば金属板であるため暖熱性が高い。そのため、日中には夜間に使用した熱がオンドル式床下暖房坑道に蓄積され、翌朝までに余熱が残るため快適である。つまり、朝型にシステムを稼働しなくてもよく、経済性に優れたものとなる。
【００２５】
このようにシステムは食効果が大きいので調理天板１５には、落とし穴部１９があり、ここで焼きものや煮ものができ、しかも他の調理具を取り替えることもできるなど便利なのである。
【産業上の利用可能性】
【００２６】
本発明は、オンドル式暖炉であり、ストーブの機能と床暖房の機能を併せ持つと共に、特に、温風を床下に吹込んで暖かなスペース機能を持つて調理天板とすることができることを特徴とするオンドル式食卓型暖炉に関するものである。
【図面の簡単な説明】
【００２７】
【図１】本発明の実施形態を示す縦断面図。
【図２】底部を除いた正面図。
【図３】底部を除いた側面図。
【図４】平面図。
【図５】従来例の縦断面図。
【符号の説明】
【００２８】
１      暖炉
２      燃料室
３      金属製中空支柱
４      空気取入れ口
５      底部開口部
７      ファン
８      オンドル式床下暖房坑道
１０      耐火ガラス面
１５      調理天板
【図１】
2006105470.tif 000003
【図２】
2006105470.tif 000004
【図３】
2006105470.tif 000005
【図４】
2006105470.tif 000006
【図５】
2006105470.tif 000007